【手続補正書】
【提出日】平成24年8月15日(2012.8.15)
【手続補正１】
【補正対象書類名】特許請求の範囲
【補正対象項目名】全文
【補正方法】変更
【補正の内容】
【特許請求の範囲】
【請求項１】
水分含有量に基づいて樹脂繊維複合材料の結合強度を決定する方法であって、
樹脂繊維複合材料標準器中の水分含有量の、前記複合材料標準器から反射された赤外線エネルギーのスペクトルとの校正値を取得すること、
前記複合材料標準器の結合強度を、前記複合材料標準器の前記赤外線エネルギーのスペクトルと、前記水分含有量とに相関させること、
前記複合材料標準器から反射された前記赤外線エネルギーのスペクトルの変化に対する前記複合材料標準器の水分含有量の変化のモデルを作成すること、
一表面を有する樹脂繊維複合材料を供給すること、
前記複合材料の前記表面から反射された赤外線エネルギーのスペクトルを取得すること、並びに
前記モデルを用いて、前記複合材料の前記水分含有量に基づく前記複合材料の前記物理的特性を予測すること
を含む方法。
【請求項２】
前記複合材料標準器中の水分含有量の、前記複合材料標準器から反射された赤外線エネルギーのスペクトルとの校正値を取得することが、各複合材料標準器から反射された赤外線エネルギーの少なくとも４つのスペクトルを収集することと、前記スペクトルに前処理を実行することと、前記スペクトルに多変量校正を実行することとを含む、請求項１に記載の方法。
【請求項３】
前記複合材料標準器が制御された水分含有量を有することを含む請求項１に記載の方法。
【請求項４】
前記複合材料の前記表面から反射された赤外線エネルギーのスペクトルを取得することが、広域スペクトルの赤外線エネルギーを用いて前記複合材料の前記表面から反射された赤外線エネルギーのスペクトルを取得することを含む、請求項１に記載の方法。
【請求項５】
前記複合材料の前記表面から反射された赤外線エネルギーのスペクトルを取得することが、近赤外スペクトルの赤外線エネルギーを用いて前記複合材料の前記表面から反射された赤外線エネルギーのスペクトルを取得することを含む、請求項１に記載の方法。
【請求項６】
前記複合材料の前記表面から反射された赤外線エネルギーのスペクトルを取得することが、中赤外スペクトルの赤外線エネルギー用いて前記複合材料の前記表面から反射された赤外線エネルギーのスペクトルを取得することを含む、請求項１に記載の方法。
【請求項７】
前記複合材料の前記表面から反射された赤外線エネルギーのスペクトルを取得することが、手持ち式分光計を使用して前記複合材料の前記表面から反射された赤外線エネルギーのスペクトルを取得することを含む、請求項１に記載の方法。
【請求項８】
前記水分含有量に対して前記赤外スペクトルを校正することが、ＰＬＳルーチンを使用して前記水分含有量に対して前記赤外スペクトルを校正することを含む、請求項１に記載の方法。
【手続補正２】
【補正対象書類名】明細書
【補正対象項目名】００１８
【補正方法】変更
【補正の内容】
【００１８】
特定の例示的実施形態に関して本明細書の実施形態を説明したが、当業者であれば他の変形例を想起するように、それら特定の実施形態は説明を目的しているのであって、限定を目的としているのではない。
また、本願は以下に記載する態様を含む。
（態様１）
水分含有量に基づいて複合材料の物理的特性を決定する方法であって、
複合材料標準器中の水分含有量の、前記複合材料標準器から反射された赤外線エネルギーのスペクトルとの校正値を取得すること、
前記複合材料標準器の物理的特性を、前記複合材料標準器の前記赤外線エネルギーのスペクトルと、前記水分含有量とに相関させること、
前記複合材料標準器から反射された前記赤外線エネルギーのスペクトルの変化に対する前記複合材料標準器の水分含有量の変化のモデルを作成すること、
一表面を有する複合材料を供給すること、
前記複合材料の前記表面から反射された赤外線エネルギーのスペクトルを取得すること、並びに
前記モデルを用いて、前記複合材料の前記水分含有量に基づく前記複合材料の前記物理的特性を予測すること
を含む方法。
（態様２）
前記複合材料標準器中の水分含有量の、前記複合材料標準器から反射された赤外線エネルギーのスペクトルとの校正値を取得することが、各複合材料標準器から反射された赤外線エネルギーの少なくとも４つのスペクトルを収集することと、前記スペクトルに前処理を実行することと、前記スペクトルに多変量校正を実行することとを含む、態様１に記載の方法。
（態様３）
水分含有量に基づいて複合材料の物理的特性を決定する方法であって、
複合材料標準器中の水分含有量の、前記複合材料標準器から反射された赤外線エネルギーのスペクトルとの校正値を、
水分含有量を制御した複数の複合材料標準器を供給し、
前記複合材料標準器の赤外スペクトルを収集し、
前記複合材料標準器の水分含有量に対して前記赤外スペクトルを校正すること
により取得すること、
前記複合材料標準器中の前記水分量を、
第１組の複合材料標準器を供給し、
前記第1組の複合材料標準器の赤外スペクトルを取得し、
前記第1組の複合材料標準器の物理的特性を、前記第1組の複合材料標準器の前記赤外スペクトルと次第に増加させた水分含有量とに相関させること
により、前記複合材料標準器の機械的特性に相関させること、
前記第1組の複合材料標準器の前記赤外スペクトルの変化に対する前記第１組の複合材料標準器の水分含有量の変化のモデルを作成すること、
水分含有量が異なる第２組の複合材料標準器を供給すること、並びに
前記モデルを使用して、前記第２組の複合材料標準器の水分含有量及び前記機械的特性を予測すること
を含む方法。
（態様４）
前記複合材料標準器の水分含有量に対して前記赤外スペクトルを校正することが、ＰＬＳルーチンを使用して多変量校正を実行することを含む、態様３に記載の方法。
（態様５）
前記複合材料の前記表面から反射された赤外線エネルギーのスペクトルを取得することが、広域スペクトルの赤外線エネルギーを用いて前記複合材料の前記表面から反射された赤外線エネルギーのスペクトルを取得することを含む、態様１又は３に記載の方法。
（態様６）
前記複合材料の前記表面から反射された赤外線エネルギーのスペクトルを取得することが、近赤外スペクトルの赤外線エネルギーを用いて前記複合材料の前記表面から反射された赤外線エネルギーのスペクトルを取得することを含む、態様１又は３に記載の方法。
（態様７）
前記複合材料の前記表面から反射された赤外線エネルギーのスペクトルを取得することが、中赤外スペクトルの赤外線エネルギー用いて前記複合材料の前記表面から反射された赤外線エネルギーのスペクトルを取得することを含む、態様１又は３に記載の方法。
（態様８）
前記複合材料の前記表面から反射された赤外線エネルギーのスペクトルを取得することが、手持ち式分光計を使用して前記複合材料の前記表面から反射された赤外線エネルギーのスペクトルを取得することを含む、態様１又は３に記載の方法。
（態様９）
複合材料の水分含有量を決定する方法であって、
水分含有量を有する複合材料標準器を供給すること、
前記複合材料標準器上の赤外スペクトルを収集すること、
前記水分含有量に対して前記赤外スペクトルを校正すること、
複合材料を供給すること、並びに
前記赤外スペクトルと前記複合材料標準器とに基づいて前記複合材料の水分含有量を予測すること
を含む方法。
（態様１０）
前記水分含有量に対して前記赤外スペクトルを校正することが、広域スペクトルの赤外線エネルギーを用いて前記水分含有量に対して前記赤外スペクトルを校正することを含む、態様９に記載の方法。
（態様１１）
前記水分含有量に対して前記赤外スペクトルを校正することが、近赤外スペクトルの赤外線エネルギーを用いて前記水分含有量に対して前記赤外スペクトルを校正することを含む、態様９に記載の方法。
（態様１２）
前記水分含有量に対して前記赤外スペクトルを校正することが、中赤外スペクトルの赤外線エネルギーを用いて前記水分含有量に対して前記赤外スペクトルを校正することを含む、態様９に記載の方法。
（態様１３）
前記水分含有量に対して前記赤外スペクトルを校正することが、手持ち式分光計を使用して前記水分含有量に対して前記赤外スペクトルを校正することを含む、態様９に記載の方法。
（態様１４）
前記赤外スペクトルに前処理を実行することを更に含む、態様９に記載の方法。
（態様１５）
前記水分含有量に対して前記赤外スペクトルを校正することが、ＰＬＳルーチンを使用して前記水分含有量に対して前記赤外スペクトルを校正することを含む、態様９に記載の方法。
（態様１６）
前記水分含有量に対して前記赤外スペクトルを校正することにより得られる校正データを、手持ち式分光計に使用される方法ファイルに変換することを更に含む、態様９に記載の方法。